(57)【要約】【課題】ＲＦＩＤタグを備えた搬送容器、特に点滴袋において、情報を記録したタグの剥落や交換が起こり難く、点滴袋が搬送用容器内に水平状態に積み重ねられ、または垂直状態に並置されても、ＲＦＩＤタグとＲＦＩＤリーダーとの間で高信頼度の通信が可能な搬送容器等を提供する。【解決手段】ＲＦＩＤタグを備えた搬送容器等において、搬送容器を合成樹脂材料で製造するとともに、その搬送容器等の周囲の少なくとも一部に縁部を成形し、その縁部に医薬液体情報が記録されるＲＦＩＤタグを設けた。【選択図】図１
2019038568.tif 000002
【特許請求の範囲】
【請求項１】
ＲＦＩＤタグを備えた搬送容器等において、前記搬送容器等を合成樹脂材料で製造するとともに、前記搬送容器等の周囲の少なくとも一部に縁部を成形し、その縁部に内部の流動体に関する情報が記録されるＲＦＩＤタグを設けたことを特徴とする搬送容器。
【請求項２】
請求項１に記載の前記搬送容器等において、
前記縁部に設けられたＲＦＩＤタグは、前記搬送容器等の製造時に前記縁部に埋設されたもの、またはモールドされたＲＦＩＤタグを埋設したもの、あるいは、前記搬送容器等の製造後に、モールドされたＲＦＩＤタグを前記搬送容器等の前記縁部に接着または溶着されたもののいずれかであることを特徴とする搬送容器。
【請求項３】
前記搬送容器等の縁部にＲＦＩＤタグを設ける位置が、前記搬送容器等の肩であることを特徴とする請求項１又は２に記載の搬送容器。
【請求項４】
ＲＦＩＤタグをモールドする合成樹脂材料は、ＰＥＴまたはシリコン樹脂である請求項1乃至３のいずれか１項に記載の搬送容器。
【発明の詳細な説明】
【技術分野】
【０００１】
本発明は、流動性のある物質を搬送する際に使用される搬送容器に関し、より詳しくは、医薬液体等の収容、搬送に適した点滴袋等に関する。
【背景技術】
【０００２】
点滴袋に代表される搬送容器は、内部にたとえば血液製剤、生理食塩水、ブドウ糖液などの医薬液体が、製造元において充填され、その医薬液体が所定の搬送用容器に収容されて、使用先に搬送される。
このような搬送容器には、通常、その正面中央に、充填されている医薬液体に関する情報（以下、医薬液体情報という。）が文字および／またはバーコードで記録されたラベルが貼り付けられる。医薬液体情報には、たとえば、医薬液体の名称や属性を特定する情報、使用する患者の識別情報、医薬液体に対するアレルギー情報等の少なくとも一つが含まれる。そして、このような情報は、製造元、卸業者、病院の受け入れ部署、医師の指示など、それぞれの段階を追うごとに、その搬送容器に記載されるべき情報が増えていく。
【０００３】
たとえば、点滴袋を例にとれば、同じ袋に多数のラベルが次々に貼付けられることになる。また、上記ラベルが貼り付けられるだけでは、多数の点滴袋が搬送用容器に収容された後は、中にどのような点滴袋が収容されているかを確認するためには、搬送用容器を開け、各点滴袋のラベルを見なければならず、かつそのラベルも何枚にも増えてしまうため、煩雑である。
【０００４】
そのような煩雑さを解消するため、点滴袋に医薬液体情報を記録したＲＦＩＤタグ(Radio Frequency Identification技術を用いるタグ)を貼り付け、搬送用容器から点滴袋を取り出さずに、搬送用容器の外側からＲＦＩＤリーダーによって医薬液体情報を読み取る読取装置が使用されるようになった（たとえば、特許文献1，２）。
【先行技術文献】
【特許文献】
【０００５】
【特許文献１】特開２００８−１０９９６５号公報
【特許文献２】特開２０１３−７５９３号公報
【発明の概要】
【発明が解決しようとする課題】
【０００６】
しかしながら、特許文献１に開示されたものは、点滴袋に貼り付け可能な貼付け部と、その貼付け部に一体に形成され、吊り下げ用フックに引っ掛けて点滴袋を吊下げるための吊下げ部とを有し、その吊下げ部にＲＦＩＤタグを取り付けてなる吊下げラベルである。
【０００７】
したがって、ＲＦＩＤタグを取り付けた吊下げラベルは点滴袋とは別体であって、後に点滴袋に貼り付けられるので、貼り付けられた吊下げラベルのＲＦＩＤタグに記録されている医薬液体情報と点滴袋に充填されている医薬液体とが合致しない事態が発生する虞がある。
【０００８】
他方、特許文献２に記載されたものは、点滴袋の表面中央に貼り付けられるラベルの裏面にＲＦＩＤタグが設けられている。そのため、ＲＦＩＤリーダーから送信された電波は、点滴袋内の医薬液体の成分によっては医薬液体によって吸収及び反射されるので、ＲＦＩＤタグとＲＦＩＤリーダーとの間の通信の信頼度が低くなる場合がある。そして、ＲＦＩＤタグが受信する電波の強度を所定の強度とするためには、ＲＦＩＤリーダーが送信する電波に必要な強度を、点滴袋内の医薬液体の量に応じて変える必要がある（特許文献２の段落００４６）。特許文献２の発明には、上記の問題点がある。
【０００９】
点滴袋内の医薬液体が、ＲＦＩＤリーダーから送信された電波を吸収または反射しないものであっても、点滴袋は搬送用容器内に水平状態に積み重ねられ、または垂直状態に並置されるので、点滴袋の表面中央に設けられているＲＦＩＤタグとＲＦＩＤリーダーとの通信信頼度に問題が生じることは避けられない。
【００１０】
本発明は、ＲＦＩＤタグを備えた搬送容器等において、上記従来技術の問題点が解消された搬送容器、より好ましくは点滴袋として好適に用いられる搬送容器等を提供することを目的とする。
【００１１】
本発明は、液体を搬送するための容器であれば医薬液体が収容される点滴袋に限られず、医薬液体以外の液体等が収容される袋にも適用可能である。また、袋に収容される物は、流動性があれば、液体以外のものでもよいが、好ましくは医薬液体である。搬送容器は好ましくはそのまま点滴に用いることができるいわゆる点滴袋であることが好ましい。本明細書では、これらの袋を総称して点滴袋等ということがある。
【課題を解決するための手段】
【００１２】
本発明は、上記目的を達成するため、搬送容器等を合成樹脂材料で製造するとともに、その搬送容器等の周囲の少なくとも一部に縁部を成形し、その縁部に内部の流動体に関する情報が記録されるＲＦＩＤタグを設けたことを特徴とする。(請求項１)
ここでいう縁部とは、医薬液体等を収容するための中空部を有さない部分をいう。
また、ＲＦＩＤタグには内部の流動体に関する情報、例えば製造日、液の内容、輸送状況、有効期限等の情報のほか、納入日時の情報や、液体が医薬品である場合には、それを適用する患者の情報等を記録してもよい。内部の流動体に関する情報を、以下、医薬液体情報と言う場合がある。
【００１３】
搬送容器等の縁部に設けられたＲＦＩＤタグは、少なくとも内容物が使用されるまで内容物を収容する中空部と分離不能に設けられていることが好ましく、具体的には搬送容器等の製造時にその縁部に埋設されたもの、またはモールドされたＲＦＩＤタグを埋設したもの、あるいは、搬送容器等の製造後に、モールドされたＲＦＩＤタグを搬送容器等の縁部に接着または溶着されたものとすることが好ましい。(請求項２)
【００１４】
搬送容器等の縁部にＲＦＩＤタグを設ける位置は、搬送容器等の周辺の比較的広い幅を有する縁部が良く、たとえば、肩が最適である。(請求項３)  なお、ここでいう肩とは、その搬送容器等がおおよそ４角形であった場合、各角（直角である必要はなく、丸みを帯びていてもよい）から各辺の方向に、各辺の長さの１／３の範囲に設けてあることが好ましい。肩がどこになるかは自明であると思われるが、念のため、およそ４角形の点滴袋の場合を説明すると、縁部のうち、各々の辺を３等分し、その両端それぞれ１／３の角を含む部分に相当する位置である。
【００１５】
ＲＦＩＤタグをモールドする合成樹脂材料は、ＰＥＴ（ポリエチレンテレフタレート）またはシリコーン樹脂であることが好ましい。(請求項４)
【発明の効果】
【００１６】
請求項1に係る発明によれば、搬送容器等を合成樹脂材料で製造するとともに、その搬送容器等の周囲の少なくとも一部に縁部を成形し、その縁部に内部の流動体の情報、好ましくは医薬品搬送に用いられるため医薬液体情報が記録されているＲＦＩＤタグを設けたので、点滴袋等が搬送用容器内に水平状態に積み重ねられ、または垂直状態に並置される、いずれ場合も、ＲＦＩＤタグが隣接する搬送容器、好ましくは点滴袋の本体（医薬液体収容部）により隠蔽されない。したがって、点滴袋等が搬送用容器内に収容されたままで、ＲＦＩＤタグとＲＦＩＤリーダー間で高信頼度の通信が可能である。
【００１７】
請求項２に係る発明によれば、搬送容器等の縁部にＲＦＩＤタグを容易かつ確実に設けることができる。
【００１８】
請求項３に係る発明によれば、搬送容器等がそれをさらに入れて運ぶ搬送用容器内に収容されたままで、電波障害を受けずにＲＦＩＤタグとＲＦＩＤリーダーとの間の通信が可能である。
【００１９】
請求項４に係る発明によれば、モールドが電波透過性に優れるので、ＲＦＩＤタグとＲＦＩＤリーダーとの間の高信頼度な通信が可能であり、また、ＲＦＩＤタグを密封し易く、点滴袋等の縁部に埋設し易い。
【図面の簡単な説明】
【００２０】
【図１】本発明の一実施の形態である点滴袋の正面図である。
【図２】図１の点滴袋の使用状態の一例を示す斜視図である。
【図３】本発明の他の実施の形態である点滴袋の断面図である。
【発明を実施するための形態】
【００２１】
次に、本発明の一実施の形態について図面を参照しながら説明する。
【００２２】
図１は、本発明の搬送容器を点滴袋に適用した一例を示す。点滴袋1は、収容される医薬液体に悪影響を与えることが無い材質であれば特に限定されず、例えば、ポリ塩化ビニル（ＰＶＣ）その他の合成樹脂材料で製造されている。点滴袋1は、医療用液体が充填される中空部２を有し、その中空部２の周方向外側に、縁部３が設けられており、その縁部３の少なくとも一部に、ＲＦＩＣタグ５を設けることが可能な幅があればよい。図１の例では、点滴袋1の中空部２に医療用液体を注入し、かつ排出するための注排出口４に近い縁部３の肩の位置、すなわち、いわゆる肩３ａに他の部分よりも大きい幅が備えてある。そして、その肩３ａに、ＲＦＩＤタグ５が設けられている。
【００２３】
またＲＦＩＤタグ５は、たとえば、薄い基板の上にＩＣチップとアンテナを備えた既知のものである。ＩＣチップは医薬液体情報を格納する記憶部と制御部とを有する。点滴袋１の肩３ａにＲＦＩＤタグ５を備えるには、点滴袋１の製造時にその縁部３にＲＦＩＤタグ５またはＲＦＩＤタグ５をＰＥＴまたはシリコ−ン樹脂などのモールド内に密封したものを埋設する方法、または、製造後の点滴袋１の縁部３にＲＦＩＤタグ５をＰＥＴまたはシリコーン樹脂などのモールド内に密封したものを接着または溶着する方法を用いることができる。
【００２４】
点滴袋１のＲＦＩＤタグ５には、点滴袋１に医薬液体が充填される直前又は直後に、医薬液体情報がＲＦＩＤリーダーによる従来技術を用いて記録される。医薬液体は、たとえば、血液製剤、生理食塩水、ブドウ糖液などである。
【００２５】
点滴袋１の注排出口４と反対側の端部の縁部３ｂの中央には、図２に例示するように、点滴袋１を吊り下げ支柱１０のフック１１に吊り下げるための孔６が設けられている。
【００２６】
さらに、点滴袋１には、従来と同様に、正面中央にラベル７が貼られている。
【００２７】
この実施の形態においては、ＲＦＩＤタグ５が点滴袋１の比較的幅広く成形された肩３ａに設けられるので、ＲＦＩＤタグ５を容易に設けることができる。また、多数の同様の点滴袋１が運搬用容器に収容された状態では、収容態様が水平状態で重ねられた場合、垂直状態で整列された場合のいずれの場合でも、ＲＦＩＤタグ５は点滴袋１に収容されている医薬液体により隠蔽されることが無いので、ＲＦＩＤタグとＲＦＩＤリーダーとの間の通信が医薬液体により影響を受けることがない。したがって、点滴袋１の確実な管理を実行することができる。
【００２８】
[他の実施の形態]
上記の実施の形態においては、点滴袋１に対するＲＦＩＤタグ５の設置位置の最も好ましい例として、点滴袋１の肩３ａにしたが、これは、図１に例示された点滴袋１は、両肩の間に一つの注排出口４が突設されているものであるので、運搬用容器には注排出口４を上向きにして垂直状態に収容されるからである。
【００２９】
図３に例示するように、両肩の間に突出高さが等しい注入口４ａと排出口４ｂの２本が突設されていて、注入口４ａおよび排出口４ｂと反対側の吊下げ用孔６がリング状に形成されている点滴袋１Ａの場合は、運搬用容器に収容するときは、注入口４ａと排出口４ｂを下側にし、吊下げ用孔６を上側にして収容すると、収容状態が安定する。したがって、このような点滴袋１Ａには、注入口４ａおよび排出口４ｂと反対側の縁部３ｂにＲＦＩＤタグ５を設けることが良い。もちろん、注入口４ａおよび排出口４ｂ側の縁部３ａに幅を取って、その部分にＲＦＩＤタグ５を設けても良い。上記ＲＦＩＤリーダーは、ＲＦＩＤリーダーライターであってもよい。
【符号の説明】
【００３０】
１，１Ａ    点滴袋  
２          中空部
３          周縁
３ａ        肩の縁部
３ｂ        底の縁部
４          注排出口
４ａ        注出口
４ｂ        排出口
５          ＲＦＩＤタグ
６          吊り下げ用孔
７          ラベル
【図１】
2019038568.tif 000003
【図２】
2019038568.tif 000004
【図３】
2019038568.tif 000005